(57)【特許請求の範囲】
【請求項１】
垂木部と、上記垂木部上に設けられた野地板部と、上記野地板部の上面に貼られた防水シートとを備える屋根パネルであって、上記野地板部の上面の一部に、上記防水シートの付着状態を維持する一方で上記防水シートの剥離を可能にする付着維持フィルムが貼られており、
上記野地板部に取り付けられる軒先水切り具の上記野地板部からはみ出る箇所の下面側に位置するように、上記付着維持フィルムの一部が上記野地板部の上面からはみ出ていることを特徴とする屋根パネル。
【請求項２】
請求項１に記載の屋根パネルにおいて、上記付着維持フィルムには、上記はみ出しの境界を示すラインが示されていることを特徴とする屋根パネル。
【請求項３】
請求項１または請求項２に記載の屋根パネルにおいて、上記付着維持フィルムの接着張力が１８ｍＮ／ｍ以上４５ｍＮ／ｍ以下であることを特徴とする屋根パネル。
【請求項４】
請求項１〜請求項３のいずれか１項に記載の屋根パネルであって上記付着維持フィルムが上記野地板部の水下側に貼られている屋根パネルを建物の母屋上に設置する工程と、上記付着維持フィルム上に位置する上記防水シートの水下側を上記付着維持フィルムから剥離し、この剥離により露呈された上記付着維持フィルム上に軒先水切り具を取り付ける工程と、上記軒先水切り具上に上記防水シートの上記一部を被せる工程と、を有することを特徴とする軒先水切り具の施工方法。
【発明の詳細な説明】
【技術分野】
【０００１】
この発明は、野路板上面に防水シートを備える屋根パネル、この屋根パネルを用いた軒先水切り具の施工方法および水上側防水板の施工方法に関する。
【背景技術】
【０００２】
特許文献１には、野地板上で屋根軒先に水切り金物が設置され、上記野地板と水切り金物上に防水シートが設置される構造が開示されている。
【０００３】
また、特許文献２には、粘着剤付ルーフィングおよび屋根防水構造が開示されている。上記粘着剤付ルーフィングは、ルーフィング体の幅方向一端側に線状または帯状の少なくとも２本以上のルーフィング接合用粘着剤が、間隔を隔ててかつルーフィング体の長手方向に沿って設けられている。さらに、特許文献２には、予め、工場において組み立てた屋根パネルの野地板にルーフィングを貼り、建築現場まで輸送した後、現場でこれらを組み合わせて屋根を施工する場合にも適用できることが示されている。
【０００４】
ここで、工場において粘着剤付ルーフィングを屋根パネルに貼るときに、上記水切り金物を取り付ける野地板領域に対応する上記粘着剤付ルーフィングの部位において剥離紙を付けたままにしておき、このような屋根パネルを現場に搬送し、建て方によって屋根を組み立てることが考えられる。その後、瓦葺きの作業者によって、上記屋根パネルの上記ルーフィング上に瓦を設置するとともに上記水切り金物を屋根パネルの野地板に装着することになるが、この際に、上記剥離紙を剥がして粘着部が露呈したルーフィング部分を上記の取り付けた水切り金物上に貼り付けることになる。
【先行技術文献】
【特許文献】
【０００５】
【特許文献１】特開２００１−１１５６１５号公報
【特許文献２】特開２００２−８１１７９号公報
【発明の概要】
【発明が解決しようとする課題】
【０００６】
しかしながら、上記のように、水切り金物の取り付けのために現場で剥離紙を剥がすのでは、その作業による手間がかかる上に、現場で剥離紙のゴミが出るという欠点がある。
【０００７】
この発明は、上記の事情に鑑み、軒先水切り具等の取り付けのために現場で防水シートから剥離紙を剥がす手間を回避でき、ゴミとなる剥離紙発生を低減できる屋根パネルを提供することを課題とする。
【課題を解決するための手段】
【０００８】
この発明の屋根パネルは、上記の課題を解決するために、垂木部と、上記垂木部上に設けられた野地板部と、上記野地板部の上面に貼られた防水シートとを備える屋根パネルであって、上記野地板部の上面の一部に、上記防水シートの付着状態を維持する一方で上記防水シートの剥離を可能にする付着維持フィルムが貼られていることを特徴とする。
【０００９】
上記の構成であれば、上記野地板部の上面の一部に、上記防水シートの付着状態を維持する一方で上記防水シートの剥離を可能にする付着維持フィルムが貼られているので、軒先水切り具等の部材の取り付けのために現場で上記防水シートから剥離紙を剥がす手間を回避でき、またゴミの発生も低減できる。また、上記野地板部に貼られている付着維持フィルムに上記防水シートが付着する状態を維持できるため、上記防水シートは捲れ難くなり、屋根材葺きの作業者によって屋根材が葺かれるまでの間に上記屋根パネルが風雨にさらされたとしても、野地板部に雨水が掛かるのを防止することが可能である。また、屋根材葺きの作業が開始され、現場で屋根パネルの野地板部に上記部材を取り付ける際には、上記付着維持フィルム上の防水シートを作業者が捲り、この捲りにより露呈された付着維持フィルム上に部材を取り付け、この部材上に上記捲った部分の防水シートを貼り戻すことができる。
【００１０】
上記付着維持フィルムの一部が上記野地板部の上面からはみ出てもよい。これによれば、上記野地板部の端面側での雨水の掛かりを抑制することができる。上記付着維持フィルムには、上記はみ出しの境界を示すラインが示されていてもよい。これによれば、上記ラインを上記野地板部の縁に合せることで、付着維持フィルムの一部を規定量はみ出させる作業を簡単且つ的確に行うことができ、また、屋根パネルの出荷時や施工時において、はみ出し量の確認が容易に行える。
【００１１】
上記付着維持フィルムの接着張力が１８ｍＮ／ｍ以上４５ｍＮ／ｍ以下であってもよい。これによれば、上記付着維持フィルムに対する上記防水シートの粘着層の強い付着力によって強風にも剥がされない一方、作業者の手の力で上記防水シートを上記付着維持フィルムから剥離させることが可能になる。
【００１２】
上記付着維持フィルムが上記野地板部の水下側に貼られていてもよい。そして、この発明の軒先水切り具の施工方法は、上記屋根パネルを建物の母屋上に設置する工程と、上記防水シートの水下側の一部を上記付着維持フィルムから剥離し、この剥離により露呈された上記付着維持フィルム上に軒先水切り具を取り付ける工程と、上記軒先水切り具上に上記防水シートの上記一部を被せる工程と、を有することを特徴とする。
【００１３】
上記付着維持フィルムが上記野地板部の水上側に貼られていてもよい。そして、この発明の水上側防水板の施工方法は、上記屋根パネルを建物の母屋上に設置する工程と、上記屋根パネルの上記防水シートの水上側の一部を上記付着維持フィルムから剥離し、この剥離により露呈された上記付着維持フィルム上に水上側防水板を取り付ける工程と、上記水上側防水板上に上記防水シートの上記一部を被せる工程と、を有することを特徴とする。
【発明の効果】
【００１４】
本発明であれば、水切り金具等の取り付けのために現場で防水シートから剥離紙を剥がす手間を回避でき、ゴミとなる剥離紙発生を低減できるという効果を奏する。
【図面の簡単な説明】
【００１５】
【図１】同図（Ａ）は、本発明の実施形態にかかる屋根パネルの軒先部を示した概略の斜視図であり、同図（Ｂ）は同軒先部の概略の側面図であり、同図（Ｃ）はフィルムロールを示した斜視図である。
【図２】同図（Ａ）および同図（Ｂ）は、この発明の実施形態の軒先水切り具の施工方法を示した説明図である。
【図３】同図（Ａ）および同図（Ｂ）は、この発明の実施形態の軒先水切り具の施工方法を示した説明図である。
【図４】同図（Ａ）および同図（Ｂ）は、この発明の実施形態の軒先水切り具の施工方法を示した説明図である。
【図５】同図（Ａ）および同図（Ｂ）は、この発明の実施形態の軒先水切り具の施工方法を示した説明図である。
【図６】本発明の他の実施形態にかかる屋根パネルの軒先部を示した概略の斜視図である。
【図７】図６の屋根パネルの軒先部にライン付きの付着維持フィルムを貼り付ける工程を示した説明図である。
【図８】本発明の他の実施形態にかかる屋根パネルへの水上側防水板の設置を示した概略の斜視図である。
【図９】の発明の実施形態の水上側防水板の施工方法を示した説明図である。
【発明を実施するための形態】
【００１６】
以下、この発明の実施の形態を添付図面に基づいて説明する。
図１（Ａ）および図１（Ｂ）に示すように、この実施形態の屋根パネル１は、間隔をおいて配置された複数の垂木部１１と、これら垂木部１１上に設けられた野地板部１２と、上記野地板部１２の上面に貼られた粘着層付きの防水シート（アスファルトルーフィング等）１３と、上記野地板部１２の一部に貼られた付着維持フィルム１４とを備える。上記付着維持フィルム１４は、例えば、図１（Ｃ）に示すように、市販のフィルムロール１４Ａから引き出して貼り付けることができる。
【００１７】
上記野地板部１２は、例えば、１０００ｍｍ程度の横幅で形成されている。また、上記垂木部１１は、例えば、上記野地板部１２の両側位置と中央位置に合計で３本配置されている。
【００１８】
上記粘着層付きの防水シート１３には、上記粘着層を覆う剥離紙１３ａが残された残存領域Ａ（クロスハッチングで示している）が形成されている。この残存領域Ａは、上記野地板部１２の片側において例えば２００ｍｍ幅で形成されている。そして、この残存領域Ａは、上記野地板部１２の片側から例えば１００ｍｍ程度の幅ではね出るように設けられている。
【００１９】
また、屋根材として瓦を用いる場合、上記防水シート１３の下端は、上記野地板部１２の水下端に届かさずに、この水下端から例えば６０ｍｍの上側位置で切断するようにしており、これにより、最も水下端の瓦の下に防水シート１３が見えてしまうのを回避している。一方、屋根材としてスレートを用いる場合は、上記防水シート１３の下端を上記野地板部１２の水下端に一致させてもよい。
【００２０】
上記付着維持フィルム１４は、上記野地板部１２の水下側において、例えば１６０ｍｍ程度の奥行き幅で貼られている。上記付着維持フィルム１４としては、例えば、ポリエステル（ＰＥｓ）からなる半透明なフィルム（厚さ３８μｍ）にゴム系粘着材層が形成された、合計厚さ０．０７ｍｍのフィルムが用いられる。上記ポリエステル（ＰＥｓ）の接着張力（臨界表面張力（ｍＮ／ｍ）×接触角（ｃｏｓθ））は、２３．３９２ｍＮ／ｍである。もちろん、上記付着維持フィルム１４は、他の素材からなっていてもよく、接着張力も、１８ｍＮ／ｍ以上４５ｍＮ／ｍ以下の範囲、望ましくは、２０ｍＮ／ｍ以上４０ｍＮ／ｍ以下の範囲とするのがよい。
【００２１】
このような構成であれば、上記野地板部１２の上面の一部に、上記防水シート１３の付着状態を維持する一方で上記防水シートの剥離を可能にする付着維持フィルム１４が貼られているので、軒先水切り具等の部材の取り付けのために現場で上記防水シート１３から剥離紙を剥がす手間を回避でき、またゴミの発生も低減できる。また、上記野地板部１２に貼られている付着維持フィルム１４に上記防水シート１３が付着する状態を維持できるため、上記防水シート１３は捲れ難くなり、屋根材葺きの作業者によって屋根材が葺かれるまでの間に上記屋根パネル１が風雨にさらされたとしても、野地板部１２に雨水が掛かるのを防止することが可能である。また、屋根材葺きの作業が開始され、現場で屋根パネル１の野地板部１２に上記部材を取り付ける際には、上記付着維持フィルム１４上の防水シート１３を作業者が捲り、この捲りにより露呈された付着維持フィルム１４上に上記部材を取り付け、この部材上に上記捲った部分の防水シートを貼り戻すことができる。なお、風雨によって上記付着維持フィルム１４から上記防水シート１３が多少剥がれたとしても、上記付着維持フィルム１４で野地板部１２が被覆されているので、野地板部１２に雨水が掛かるのをある程度防止することができる。
【００２２】
また、上記付着維持フィルム１４の接着張力が１８ｍＮ／ｍ以上４５ｍＮ／ｍ以下の範囲であると、上記付着維持フィルム１４に対する上記防水シート１３の粘着層の強い付着力によって強風にも剥がされない一方、作業者の手の力で上記付着維持フィルム１４から上記粘着層を剥離させることが可能になる。上記付着維持フィルム１４の接着張力が２０ｍＮ／ｍ以上４０ｍＮ／ｍ以下の範囲であれば、さらに好適に付着維持および作業者による剥離が行える。
【００２３】
次に、上記屋根パネル１を用いた軒先水切り具の施工方法を説明する。上記屋根パネル１は、図２（Ａ）および図２（Ｂ）に示すように、建築現場に搬送されて建物の母屋１０上にクレーン等を用いて設置される。設置した屋根パネル１において、上記残存領域Ａの剥離紙１３ａを剥がすことにより、隣り合う屋根パネル１、１同士の側面部上を跨ぐように上記防水シート１３を貼り付けることができる。
【００２４】
そして、図３（Ａ）および図３（Ｂ）に示すように、上記防水シート１３の水下側を上記付着維持フィルム１４から剥離し、図４（Ａ）および図４（Ｂ）に示すように、この剥離により露呈された上記付着維持フィルム１４上において軒先水切り具２を上記野地板部１２にビス等によって取り付ける。上記軒先水切り具２は、屋根面設置部２１と軒先突出部２２とを有しており、上記屋根面設置部２１の奥行きは、例えば１５０ｍｍ程度とされている。この上記屋根面設置部２１の部分が上記付着維持フィルム１４上に位置される。
【００２５】
次に、図５（Ａ）および図５（Ｂ）に示すように、上記軒先水切り具２の上記屋根面設置部２１上に上記防水シート１３の上記水下側を貼り戻す。その後、屋根材を葺いていく。瓦葺きの場合であれば、瓦座、瓦等を野地板部１２上に取り付けていくことになる。かかる方法によれば、上記野地板部１２の水下側の領域に上記軒先水切り具２を効率的に取り付けることができる。
【００２６】
図６は、上記屋根パネル１の野地板部１２上に上記付着維持フィルム１４を貼り付ける他の例を示している。この例では、上記付着維持フィルム１４の一部が上記野地板部１２の上面からはみ出ている。これによれば、上記野地板部１２の端面側での雨水の掛かりを抑制することができる。上記はみ出しの長さは、例えば、２０ｍｍ以内とされる。また、上記はみ出し部分は、上記野地板部１２の上面に平行にはね出すようにしてもよいが、下側に折り曲げて上記野地板部１２の端面に接着させてもよく、この場合には、上記野地板部１２の端面側での雨水の掛かりが一層抑制され、また、上記軒先水切り具２の取り付け性も良くなる。
【００２７】
また、図７に示すように、上記付着維持フィルム１４に上記はみ出しの境界を示すライン１４ａが示されていると、上記ライン１４ａを上記野地板部１２の縁に合せることで、上記付着維持フィルム１４の一部を規定量はみ出させる作業を簡単且つ正確に行うことができ、また、上記屋根パネル１の出荷時や施工時において、はみ出し量の確認が容易に行える。
【００２８】
図８に示すように、上記屋根パネル１において、上記付着維持フィルム１４が上記屋根パネル１の水上側の領域に貼られていてもよい。また、この例では、上記付着維持フィルム１４の一部が、上記野地板部１２の上面から水上方向（外壁側）にはね出ている。もちろん、このような態様に限定されるものではない。また、上記防水シート１３も、その一部が上記野地板部１２と平行にはね出るようにしている。このような屋根パネル１においては、上記水上側の付着維持フィルム１４が貼られている箇所に、水上側防水板３を配置することができる。上記水上側防水板３は、屋根面設置部３１と外壁板裏差し込み部３２とを有しており、上記屋根面設置部３１の奥行き幅は、例えば１００ｍｍ程度とされ、上記外壁板裏差し込み部３２の高さは、例えば、２００ｍｍ程度とされている。
【００２９】
次に、図９を用いて、上記屋根パネル１を用いた上記水上側防水板３の施工方法を説明する。現場に設置した屋根パネル１において、上記防水シート１３の水上側を上記付着維持フィルム１４から剥離し、この剥離により露呈された上記付着維持フィルム１４上に上記水上側防水板３を取り付ける。この水上側防水板３の取り付けにおいては、上記外壁板裏差し込み部３２を外壁材４の裏面側に下側から上方向へと差し込み、また、上記屋根面設置部３１の部分を上記付着維持フィルム１４上に位置させる。
【００３０】
次に、上記水上側防水板３の上記屋根面設置部３１上に上記防水シート１３を貼り戻す。かかる方法によれば、上記野地板部１２の水上側の領域に上記水上側防水板３を効率的に取り付けることができる。
【００３１】
そして、このように組み付けられてから、屋根材葺きの作業者によって屋根材５が葺かれていくとともに、最も水上側の屋根材と外壁との間に、雨押え水切り６を取り付ける。
【００３２】
このように、上記野地板部１２の水上側の領域においても、上記防水シート１３の付着状態を維持する一方で上記防水シートの剥離を可能にする付着維持フィルム１４が貼られているので、上記水上側防水板３の取り付けのために現場で上記防水シート１３から剥離紙を剥がす手間を回避でき、またゴミの発生も低減できる。さらに、上記防水シート１３の水上側が風雨等で捲れて野地板部１２に雨水が掛かるのを防止できる。
【００３３】
なお、上記防水シート１３として粘着層付きのアスファルトルーフィングが用いられる場合において、屋根パネルのストック等による時間経過により、粘着層よりもアスファルト部と上記付着維持フィルム１４との接着性および剥離性が問題となる場合がある。したがって、上記付着維持フィルム１４にアスファルト部が接着するとして、その接着張力（接着性と剥離性）を選定してもよい。特に、高温環境下での上記アスファルト部の溶着による上記付着維持フィルム１４からの剥離の困難化、或いは、上記アスファルト部に高い押圧力が掛かったときの上記アスファルト部の溶着による上記付着維持フィルム１４からの剥離の困難化のおそれがあるので、実験等によって、このような高温環境下および高押圧下での上記付着維持フィルム１４の性能を評価しておくのが望ましい。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      ：屋根パネル
２      ：軒先水切り具
３      ：水上側防水板
４      ：外壁材
５      ：屋根材
６      ：雨押え水切り
１０    ：母屋
１１    ：垂木部
１２    ：野地板部
１２ａ  ：剥離紙
１３    ：防水シート
１３ａ  ：剥離紙
１４    ：付着維持フィルム
１４Ａ  ：フィルムロール
１４ａ  ：ライン
２１    ：屋根面設置部
２２    ：軒先突出部
３１    ：屋根面設置部
３２    ：外壁裏差し込み部
Ａ      ：残存領域
【図１】
0006696757.tif 000002
【図２】
0006696757.tif 000003
【図３】
0006696757.tif 000004
【図４】
0006696757.tif 000005
【図５】
0006696757.tif 000006
【図６】
0006696757.tif 000007
【図７】
0006696757.tif 000008
【図８】
0006696757.tif 000009
【図９】
0006696757.tif 000010